(57)【要約】【課題】室内機・室外機分離型の一般的な既製の空調機を用いて、テント向けに簡便に使用でき、しかも可搬性や設置の融通性や経済性にも優れ、運転中の騒音も小さい小型の空調機ユニットを提供する。【解決手段】空調機の室内機１と室外機２とを、一つのユニットフレーム３に上下の配置にして、しかも室内機１は該ユニットフレーム３の室内機格納室６内に格納して設置する。この室内機格納室６内に仕切板１２を着脱可能に設置し、室内機格納室６の前面開口１１から室内機１までの空間を、吸気側空間部６Ａと吹き出し側空間部６Ｂとに上下に二分する。【選択図】  図１
2004198023.tif 000002
【特許請求の範囲】
【請求項１】
空調機の室内機と室外機とを、一つのユニットフレームに上下の配置にして、しかも室内機は該ユニットフレームの室内機格納室内に格納して設置したこと、この室内機格納室内に仕切板を設置し、室内機格納室の前面開口から室内機までの空間を、吸気側空間部と吹き出し側空間部とに二分したことを特徴とする空調機ユニット。
【請求項２】
仕切板を室内機格納室内に着脱可能に支持したことを特徴とする請求項１に記載の空調機ユニット。
【請求項３】
仕切板の後端縁にクッション材を付着したことを特徴とする請求項２に記載の空調機ユニット。
【請求項４】
室内機の吹き出し口からの吹き出し空気を室内機格納室の前面開口へ誘導する吹き出し空気誘導部を設けたことを特徴とする請求項１、２又は３に記載の空調機ユニット。
【請求項５】
室内機格納室をユニットフレームの上部に設け、室外機を設置する室外機設置部を、ユニットフレームの下部に前後面を開放させて設けたことを特徴とする請求項１、２、３又は４に記載の空調機ユニット。
【請求項６】
ユニットフレームにキャスタを備えたことを特徴とする請求項１、２、３、４又は５に記載の空調機ユニット。
【請求項７】
室内機及び室外機の電源となる発電機を備えたことを特徴とする請求項１、２、３、４、５又は６に記載の空調機ユニット。
【請求項８】
発電機を覆う防雨カバーを備えたことを特徴とする請求項７に記載の空調機ユニット。
【発明の詳細な説明】
【０００１】
【発明の属する技術分野】
本発明は、空調機の室内機と室外機とを上下のセットにして可搬及び同一場所に設置する空調機ユニットに関する。
【０００２】
【従来の技術】
特許文献１（特開平５−１４９５７９号公報）には、建物の出窓に設置できるように室内機と室外機とを上下一体形とし、室内機は、室内に向けて吸気と吹き出しを行い、室外機は、室外で吸気と排気ができるようにした一体形空気調和機が開示されているが、これは建物の出窓用であって、テントには適用できない。
【０００３】
【特許文献１】
特開平５−１４９５７９号公報（第４頁、図３）
【０００４】
【発明が解決しようとする課題】
ところで、野外にテントを設営して、数人ないし多人数を対象とした仮設の宿舎や病棟や集会場などとする場合、快適な居住空間とするには空調設備が欠かせないが、従来、そのようなところで使用できる空調機は、重量の重い大型の空調機しかなく、運搬に大型トラックやクレーン等を要するばかりでなく、設置に多くの人員や労力や費用を要し、運転中の騒音も大きいなどの問題があった。
【０００５】
そこで、本発明の目的は、室内機・室外機分離型の一般的な既製の空調機を用いて、テント向けに簡便に使用でき、しかも可搬性や設置の融通性や経済性にも優れ、運転中の騒音も小さい小型の空調機ユニットを提供することにある。
【０００６】
【課題を解決するための手段】
本発明による空調機ユニットは、空調機の室内機と室外機とを、一つのユニットフレームに上下の配置にして、しかも室内機は該ユニットフレームの室内機格納室内に格納して設置したこと、この室内機格納室内に仕切板を設置し、室内機格納室の前面開口から室内機までの空間を、吸気側空間部と吹き出し側空間部とに二分したことを特徴とする。
【０００７】
室内機は、エアーフィルタ等の清掃をすることが多いので、仕切板は室内機格納室内に着脱可能に支持する。
【０００８】
仕切板の後端縁にはクッション材を付着する。
【０００９】
室内機の吹き出し口からの吹き出し空気を室内機格納室の前面開口へ誘導するため、室内機格納室に吹き出し空気誘導部を設ける。
【００１０】
室内機格納室は、ユニットフレームの上部に設け、室外機を設置する室外機設置部は、ユニットフレームの下部に前後面を開放させて設ける。
【００１１】
可搬性を良くするため、ユニットフレームにキャスタを備える。
【００１２】
室内機及び室外機の電源となる発電機を備え、更には、その発電機を覆う防雨カバーを備えてもよい。
【００１３】
【発明の実施の形態】
次に、本発明の実施の形態を図面に基づいて詳細に説明する。
【００１４】
図１に本発明の一実施例の全体を示す。この空調機ユニットは、既製の空調機の室内機１と室外機２とを、一つの（同じ）ユニットフレーム３の上下に設置して一体化し、これら室内機１と室外機２とを一体に可搬できるようにするとともに、同一場所に設置できるようにしたもので、室内機１及び室外機２の電源となる発電機４、及びその付属品である防雨カバー５も備えている。
【００１５】
図１〜図３に示すように、ユニットフレーム３は、いずれも断熱性を有する天板６ａと左右の側板６ｂと底板６ｃと背板６ｄとで、前面のみが開口する箱状の室内機格納室６を上部に形成し、また下部には、台板７とその四隅に起立する前後左右の縦枠８とで室外機設置部９を形成している。台板７の下面四隅にはキャスタ１０が装着されている。
【００１６】
室内機１は、その背面を室内機格納室６の背板６ｄに取り付けて、室内機格納室６内の奥部に設置され、室外機２は、室内機格納室６の下方で台板７上に設置固定されている。
【００１７】
室内機１は、室内機格納室６内の奥部に設置されているため、室内機１の前面と室内機格納室６の前面開口１１との間には、充分な奥行きがあり、この奥行きを上下に仕切るように、仕切板１２が次のように室内機格納室６内に着脱可能（抜き差し可能）に水平に架設されている。
【００１８】
すなわち、仕切板１２は、室内機格納室６の左右の側板６ｂの内面に水平に付設された断面逆Ｌ形の左右のレール板１３に沿って、図４に示すように抜き差し可能になっているとともに、固定手段である蝶ネジ１４により左右のレール板１３上に固定されている。そして、仕切板１２は、室内機格納室６の前面開口１１から室内機１前面までの空間を、吸気側空間部６Ａと吹き出し側空間部６Ｂとに上下に二分しており、室内機１が稼働すると、室内機格納室６外の空気は、前面開口１１から仕切板１２の上側の吸気側空間部６Ａを通って室内機１に吸気される。一方、室内機１の吹き出し口から吹き出される冷風又は温風は、仕切板１２の下側の吹き出し側空間部６Ｂを通って前面開口１１外へと排出される。その際、室内機１の吹き出し口から下向きに吹き出される冷風又は温風が前方へ向くように、室内機格納室６内の下側角部には、吹き出し空気誘導部として、湾曲した空気誘導板１５が張設されている。
【００１９】
また、仕切板１２の後端縁には、室内機１前面との間の隙間を無くすとともに、その前面を傷めないようにするため、ゴムやスポンジ等によるクッション材１２ａが付着されている。図４に示すように、室内機１の前カバー１ａを開いて内部やフィルタ等を清掃する場合には、蝶ネジ１４を外して仕切板１２を室内機格納室６外へ引き出す。室内機格納室６の前面開口１１の口縁には、テント等との接続の便宜のために縁枠１１ａが設けられている。
【００２０】
室外機設置部９は、室内機格納室６の底板６ｃを天井部、台板７を底部として、前後左右は開放している。
【００２１】
このように構成された空調機ユニットは、既製の空調機の室内機１と室外機２とを、一つのユニットフレーム３の上下に設置して一体化したものであるため、重量は１００ｋｇ以下となり、二人の人力によりトラックへの積み卸しが可能であるとともに、キャスタ１０により自由に移動させることができる。設営されたテント内を冷暖房する場合には、この空調機ユニットをテントの外側に設置してテント側壁部に設けられた開口部と室内機格納室６の前面開口１１とを直結するだけでよい。テント側壁部に設けられた開口部を通じてテント内を冷暖房することになるが、室内機格納室６の前面開口１１から室内機１までの空間は、仕切板１２により吸気側空間部６Ａと吹き出し側空間部６Ｂとに上下に二分されているので、室内機１による吸気と冷風又は温風の吹き出しとを支障なく行える。
【００２２】
発電機４自体は、１００Ｖ交流電源として室内機１及び室外機２を駆動できる既製のもので、車輪１６により自由に移動できるようになっている。
【００２３】
防雨カバー５は、発電機４を防雨のために覆うもので、図５〜図７に示すように防水性シートで作られ、発電機４の側面の操作パネルを操作するための覗き窓を兼ねた透明な操作用開閉窓部５ａと、発電機４の上面の給油口へ給油を行うときに開ける覗き窓を兼ねた透明な給油用開閉窓部５ｂとを形成している。この防雨カバー５は、テントと同様にテント用ペグ１７にて地上に固定する。
【００２４】
図９及び図１０は、側壁部が傾斜しているテントへの適用例を示し、その傾斜に合わせたフード１８をユニットフレーム３の前面に取り付け、このフード１８を介してテント側壁部１９の開口部と接続する。この場合、テント側壁部１９に、フード１８の天面及び室内機格納室６の天面を覆う防雨カバー２０を付設しておく。
【００２５】
なお、上記ではテントへの使用例について説明したが、本発明による空調機ユニットは、いわゆるプレハブ等の仮設家屋等に対しても適用できる。また、発電機４をユニットフレーム３内に組み込んでもよい。
【００２６】
【発明の効果】
以上説明したように本発明によれば、空調機の室内機と室外機とを、一つのユニットフレームに上下の配置にして、しかも室内機は該ユニットフレームの室内機格納室内に格納して設置し、室内機格納室の前面開口から室内機までの空間を、仕切板により吸気側空間部と吹き出し側空間部とに二分したので、室内機・室外機分離型の一般的な既製の空調機を用いて、テント向けに簡便に使用でき、しかも可搬性や設置の融通性や経済性にも優れ、運転中の騒音も小さい小型の空調機ユニットとして提供できる。テントに使用する場合、テント側壁部に設けられた開口部を通じてテント内を冷暖房することになるが、室内機格納室の前面開口から室内機までの空間は、仕切板により吸気側空間部と吹き出し側空間部とに上下に二分されているので、室内機による吸気と冷風又は温風の吹き出しとを支障なく行える。
【００２７】
請求項２に係る発明のように、仕切板を着脱可能とすれば、室内機の清掃や保守が容易となる。
【００２８】
請求項３に係る発明のように、仕切板の後端縁にクッション材を付着すれば、室内機前面との間の隙間を無くすことができるとともに、その前面を傷めない。
【００２９】
請求項４に係る発明によれば、室内機の吹き出し口からの吹き出し空気を室内機格納室の前面開口へ誘導することができる。
【００３０】
請求項５に係る発明のように、室内機格納室をユニットフレームの上部に設け、室外機を設置する室外機設置部を、ユニットフレームの下部に前後面を開放させて形成すれば、軽量化できるとともに、室内機よりも重量が重い室外機を下に設置することで、安定性が良い。
【００３１】
請求項６に係る発明のように、ユニットフレームにキャスタを備えれば、可搬性が良くなる。
【００３２】
請求項７に係る発明のように、室内機及び室外機の電源となる発電機を備えれば、室内機及び室外機を野外のどこでも稼働できる。
【００３３】
請求項８に係る発明によれば、発電機を防雨カバーで覆って風雨から保護できる。
【図面の簡単な説明】
【図１】発電機も含めた本発明の一実施例の全体斜視図である。
【図２】発電機は除いた正面図である。
【図３】同じく側面図である。
【図４】一部分の断面図である。
【図５】発電機は仮想線で示し、その防雨カバーは断面にして示す図である。
【図６】同様の側面図である。
【図７】防雨カバーの平面図である。
【図８】側壁部が傾斜しているテントへの適用例を示す全体斜視図である。
【図９】同上におけるテントとの関係を示す側面図である。
【符号の説明】
１  室内機
１ａ  前カバー
２  室外機
３  ユニットフレーム
４  発電機
５  防雨カバー
６  室内機格納室
６Ａ  吸気側空間部
６Ｂ  吹き出し側空間部
６ａ  天板
６ｂ  側板
６ｃ  底板
６ｄ  背板
７  台板
８  縦枠
９  室外機設置部
１０  キャスタ
１１  前面開口
１１ａ  縁枠
１２  仕切板
１２ａ  クッション材
１３  レール板
１４  蝶ネジ
１５  空気誘導板
１６  車輪
１７  テント用ペグ
１８  フード
１９  テント側壁部
２０  防雨カバー
【図１】
2004198023.tif 000003
【図２】
2004198023.tif 000004
【図３】
2004198023.tif 000005
【図４】
2004198023.tif 000006
【図５】
2004198023.tif 000007
【図６】
2004198023.tif 000008
【図７】
2004198023.tif 000009
【図８】
2004198023.tif 000010
【図９】
2004198023.tif 000011
【手続補正書】
【提出日】平成15年3月25日(2003.3.25)
【手続補正１】
【補正対象書類名】明細書
【補正対象項目名】特許請求の範囲
【補正方法】変更
【補正の内容】
【特許請求の範囲】
【請求項１】
空調機の室内機と室外機とを、一つのユニットフレームに配置し、しかも室内機は該ユニットフレームの室内機格納室内に格納して設置したこと、この室内機格納室内に仕切板を設置し、室内機格納室の前面開口から室内機までの空間を、吸気側空間部と吹き出し側空間部とに二分したことを特徴とする空調機ユニット。
【請求項２】
仕切板を室内機格納室内に着脱可能に支持したことを特徴とする請求項１に記載の空調機ユニット。
【請求項３】
仕切板の後端縁にクッション材を付着したことを特徴とする請求項２に記載の空調機ユニット。
【請求項４】
室内機の吹き出し口からの吹き出し空気を室内機格納室の前面開口へ誘導する吹き出し空気誘導部を設けたことを特徴とする請求項１、２又は３に記載の空調機ユニット。
【請求項５】
室内機格納室をユニットフレームの上部に設け、室外機を設置する室外機設置部を、ユニットフレームの下部に前後面を開放させて設けたことを特徴とする請求項１、２、３又は４に記載の空調機ユニット。
【請求項６】
ユニットフレームにキャスタを備えたことを特徴とする請求項１、２、３、４又は５に記載の空調機ユニット。
【請求項７】
室内機及び室外機の電源となる発電機を備えたことを特徴とする請求項１、２、３、４、５又は６に記載の空調機ユニット。
【請求項８】
発電機を覆う防雨カバーを備えたことを特徴とする請求項７に記載の空調機ユニット。
【手続補正２】
【補正対象書類名】明細書
【補正対象項目名】０００６
【補正方法】変更
【補正の内容】
【０００６】
【課題を解決するための手段】
本発明による空調機ユニットは、空調機の室内機と室外機とを、一つのユニットフレームに配置し、しかも室内機は該ユニットフレームの室内機格納室内に格納して設置したこと、この室内機格納室内に仕切板を設置し、室内機格納室の前面開口から室内機までの空間を、吸気側空間部と吹き出し側空間部とに二分したことを特徴とする。


【手続補正３】
【補正対象書類名】明細書
【補正対象項目名】００２６
【補正方法】変更
【補正の内容】
【００２６】
【発明の効果】
以上説明したように本発明によれば、空調機の室内機と室外機とを、一つのユニットフレームに配置し、しかも室内機は該ユニットフレームの室内機格納室内に格納して設置し、室内機格納室の前面開口から室内機までの空間を、仕切板により吸気側空間部と吹き出し側空間部とに二分したので、室内機・室外機分離型の一般的な既製の空調機を用いて、テント向けに簡便に使用でき、しかも可搬性や設置の融通性や経済性にも優れ、運転中の騒音も小さい小型の空調機ユニットとして提供できる。テントに使用する場合、テント側壁部に設けられた開口部を通じてテント内を冷暖房することになるが、室内機格納室の前面開口から室内機までの空間は、仕切板により吸気側空間部と吹き出し側空間部とに上下に二分されているので、室内機による吸気と冷風又は温風の吹き出しとを支障なく行える。